(57)【特許請求の範囲】
【請求項１】
内部に軸孔を有し、扉の正面、背面間に貫通装着されるハンドル受座と、前記ハンドル受座の前記軸孔に回動可能に嵌挿され、扉の背面側となる先端部側に止め金を取り付けられる操作軸、及び前記操作軸の扉の正面側となる基端部側から扉の正面に沿って延びるグリップからなるハンドルレバーと、前記操作軸の正面となる基端面に開口されて前記操作軸の基端部側に形成される受孔に、前記開口に鍵孔を表出して装着される錠前ユニット、及び前記錠前ユニットの背後に作動連結されて、前記受孔の周壁部に形成される透孔を通して前記ハンドル受座の前記軸孔の内周面に形成されるロック孔に挿脱可能に配置されるロック部材とを備え、錠前ユニットに鍵を挿入して所定のロック方向に回転操作することにより、前記錠前ユニットに作動連結された前記ロック部材が前記ロック孔に挿入されて前記ハンドルレバーをロックし、鍵を所定のロック解除方向に回転操作することにより、前記錠前ユニットに作動連結された前記ロック部材が前記ロック孔から離脱されて前記ハンドルレバーのロックを解除する形式のＬ型ハンドルにおいて、
前記ハンドルレバーに当該ハンドルレバーのロック状態又はロック解除状態を切り替え表示するインジケータを備え、
前記インジケータは、
前記ハンドルレバーにおいて前記錠前ユニットの周囲所定の位置に開口される表示窓と、
前記ロック部材から前記受孔の周壁部に形成される連絡孔を通して前記表示窓に向けて延び、前記ロック部材が前記ロック孔に挿入又は離脱されるときの前記ロック部材の挿入又は離脱方向の動作に連動して駆動される作動レバー、及び前記作動レバーの先端に形成されて前記作動レバーの駆動により前記表示窓に沿って移動可能に配置され、前記ロック部材が前記ロック孔に挿入されたときに前記表示窓に移動して対向される位置に前記ハンドルレバーのロック状態を表示するためのロック状態表示部材を有し、前記ロック部材が前記ロック孔から離脱されたときに前記表示窓に移動して対向される位置に前記ハンドルレバーのロック解除状態を表示するためのロック解除状態表示部材を有する表示部と、
を具備し、
前記錠前ユニットを鍵により所定のロック方向に回転操作することにより、前記ハンドルレバーを前記ロック部材によりロックするとともに、前記インジケータに前記ロック状態表示部材を表示して前記ハンドルレバーのロック状態を案内し、
前記錠前ユニットを鍵により所定のロック解除方向に回転操作することにより、前記ハンドルレバーの前記ロック部材によるロックを解除するとともに、前記インジケータに前記ロック解除状態表示部材を表示して前記ハンドルレバーのロック解除状態を案内する、
ことを特徴とするＬ型ハンドル。
【請求項２】
錠前ユニットは正面の鍵孔から鍵を差し込むことにより解錠され、前記鍵を回転操作することによりロータが回転する形式のシリンダー錠が採用され、前記シリンダー錠の背面の前記ロータに当該ロータの回転中心に対して偏芯した位置に突起を突設され、ロック部材は前記シリンダー錠の背面に対向する正面に前記ロータの突起が係合可能なガイド溝を前記ロック部材のロック孔に対する挿脱方向に対して略直角方向に向けて直線的に形成され、前記ロック部材は前記錠前ユニットの背後で前記ロック部材のガイド溝と前記ロータの突起との係合により作動連結される請求項１に記載のＬ型ハンドル。
【請求項３】
表示窓はハンドルレバーにおいて錠前ユニットに近接するグリップの一部に開口されるとともに前記グリップの背面で前記表示窓の周囲は前記グリップの延びる方向に断面略円弧状に形成され、連絡孔は操作軸の周壁部に透孔に前記操作軸の正面側で隣接して連通形成され、作動レバーは、ロック部材のロック孔側の端部から、前記連絡孔を通して、前記グリップの背面側で前記表示窓に対向する位置まで略クランク状に延びる第１のクランク部材と、前記第１のクランク部材の表示窓側の端部に軸を介して回動可能に連結され、中間部を前記グリップの背面に軸を介して回動可能に支持されて、前記第１のクランク部材と前記表示窓との間に配置される第２のクランク部材とからなり、表示部は、前記表示窓に対向する正面が前記グリップの背面で前記表示窓の周囲を摺動可能に断面略円弧状に形成され、前記第２のクランク部材の表示窓側の端部に設けられる請求項１又は２に記載のＬ型ハンドル。
【請求項４】
表示窓はハンドルレバーにおいて錠前ユニットに近接するグリップの一部に開口されるとともに前記グリップの背面で前記表示窓の周囲は略平坦状に形成され、連絡孔は操作軸の周壁部に透孔に前記操作軸の正面側に隣接して連通形成され、作動レバーはロック部材のロック孔側の端部から、前記連絡孔を通して、前記グリップの背面の前記表示窓まで略クランク状に延びるクランク部材からなり、表示部は、前記表示窓に対向する正面が前記グリップの背面で前記表示窓の周囲を摺動可能に略平坦状に形成され、前記作動レバーの表示窓側の端部に設けられる請求項１又は２に記載のＬ型ハンドル。
【請求項５】
表示窓は、ハンドルレバーにおいて操作軸のハンドルとは反対側に当該ハンドルとは反対方向に向けて張り出し部が形成されて、前記張り出し部の錠前ユニットに近接する一部に開口されるとともに、前記張り出し部の背面で前記表示窓の周囲は略平坦状に形成され、連絡孔は、前記操作軸の周壁部に透孔とは反対側に前記透孔と対称的に別の透孔が形成されて、当該別の透孔に前記操作軸の正面側に隣接して連通形成され、作動レバーはロック部材のロック孔側の端部とは反対の端部から、前記連絡孔を通して、前記張り出し部の背面の前記表示窓まで略クランク状に延びるクランク部材からなり、表示部は前記表示窓に対向する正面が前記張り出し部の背面で前記表示窓の周囲を摺動可能に略平坦状に形成され、前記作動レバーの表示窓側の端部に設けられる請求項１又は２に記載のＬ型ハンドル。
【発明の詳細な説明】
【技術分野】
【０００１】
本発明は、配電盤や制御盤などの機器格納用キャビネットなどに使用するＬ型ハンドルに関する。
【背景技術】
【０００２】
従来、この種のＬ型ハンドルは、例えば特許文献１により開示されているように、内部に軸孔を有し、扉の正面、背面間に貫通装着されるハンドル受座と、ハンドル受座の軸孔に回動可能に嵌挿され、扉の背面側となる先端部側に止め金を取り付けられる操作軸、及び操作軸の扉の正面側となる基端部側から扉の正面に沿って延びるグリップからなるハンドルレバーと、操作軸の正面となる基端面に開口されて操作軸の基端部側に形成される受孔に、開口に鍵孔を表出して装着される錠前ユニット、及び錠前ユニットの背後に作動連結されて、受孔の周壁部に形成される透孔を通して、ハンドル受座の軸孔の内周面に形成されるロック孔に挿脱可能に配置されるロック部材とを備え、錠前ユニットに鍵を挿入して所定のロック方向に回転操作することにより、錠前ユニットに作動連結されたロック部材がロック孔に挿入されてハンドルレバーをロックし、反対に、鍵を所定のロック解除方向に回転操作することにより、錠前ユニットに作動連結されたロック部材がロック孔から離脱されてハンドルレバーのロックを解除するようになっている。
【先行技術文献】
【特許文献】
【０００３】
【特許文献１】特開２００６−１６７９７公報
【発明の概要】
【発明が解決しようとする課題】
【０００４】
しかしながら、この種のＬ型ハンドルでは、錠前ユニットを鍵により回転操作することにより、ハンドルレバー及びハンドル受座間でロック部材をロック孔に挿入又は離脱して、ハンドルレバーをロック又はロック解除する形式になっているため、ハンドルレバーがロックされているか解除されているかは、このハンドルの外からでは見えないため、その状態が瞬時に分からず、このため、錠前ユニットに鍵を掛けたつもりで鍵を掛け忘れていたり、鍵がかかっているのを知らないでハンドルレバーを操作したり、鍵が掛かっているにも関わらず鍵を用意していなかったりするなど、扉の開閉に際して利便性を欠く、という問題がある。
【０００５】
本発明は、このような従来の問題を解決するもので、この種のＬ型ハンドルにおいて、ハンドルレバーのロック部材によるロック状態又はロック解除状態が瞬時に分かり、扉の開閉に際して利便性の向上を図ること、を目的とする。
【課題を解決するための手段】
【０００６】
上記目的を達成するために、本発明は、
内部に軸孔を有し、扉の正面、背面間に貫通装着されるハンドル受座と、前記ハンドル受座の前記軸孔に回動可能に嵌挿され、扉の背面側となる先端部側に止め金を取り付けられる操作軸、及び前記操作軸の扉の正面側となる基端部側から扉の正面に沿って延びるグリップからなるハンドルレバーと、前記操作軸の正面となる基端面に開口されて前記操作軸の基端部側に形成される受孔に、前記開口に鍵孔を表出して装着される錠前ユニット、及び前記錠前ユニットの背後に作動連結されて、前記受孔の周壁部に形成される透孔を通して前記ハンドル受座の前記軸孔の内周面に形成されるロック孔に挿脱可能に配置されるロック部材とを備え、錠前ユニットに鍵を挿入して所定のロック方向に回転操作することにより、前記錠前ユニットに作動連結された前記ロック部材が前記ロック孔に挿入されて前記ハンドルレバーをロックし、鍵を所定のロック解除方向に回転操作することにより、前記錠前ユニットに作動連結された前記ロック部材が前記ロック孔から離脱されて前記ハンドルレバーのロックを解除する形式のＬ型ハンドルにおいて、
前記ハンドルレバーに当該ハンドルレバーのロック状態又はロック解除状態を切り替え表示するインジケータを備え、
前記インジケータは、
前記ハンドルレバーにおいて前記錠前ユニットの周囲所定の位置に開口される表示窓と、
前記ロック部材から前記受孔の周壁部に形成される連絡孔を通して前記表示窓に向けて延び、前記ロック部材が前記ロック孔に挿入又は離脱されるときの前記ロック部材の挿入又は離脱方向の動作に連動して駆動される作動レバー、及び前記作動レバーの先端に形成されて前記作動レバーの駆動により前記表示窓に沿って移動可能に配置され、前記ロック部材が前記ロック孔に挿入されたときに前記表示窓に移動して対向される位置に前記ハンドルレバーのロック状態を表示するためのロック状態表示部材を有し、前記ロック部材が前記ロック孔から離脱されたときに前記表示窓に移動して対向される位置に前記ハンドルレバーのロック解除状態を表示するためのロック解除状態表示部材を有する表示部と、
を具備し、
前記錠前ユニットを鍵により所定のロック方向に回転操作することにより、前記ハンドルレバーを前記ロック部材によりロックするとともに、前記インジケータに前記ロック状態表示部材を表示して前記ハンドルレバーのロック状態を案内し、
前記錠前ユニットを鍵により所定のロック解除方向に回転操作することにより、前記ハンドルレバーの前記ロック部材によるロックを解除するとともに、前記インジケータに前記ロック解除状態表示部材を表示して前記ハンドルレバーのロック解除状態を案内する、
ことを要旨とする。
この場合、錠前ユニットは正面の鍵孔から鍵を差し込むことにより解錠され、前記鍵を回転操作することによりロータが回転する形式のシリンダー錠が採用され、前記シリンダー錠の背面の前記ロータに当該ロータの回転中心に対して偏芯した位置に突起を突設され、ロック部材は前記シリンダー錠の背面に対向する正面に前記ロータの突起が係合可能なガイド溝を前記ロック部材のロック孔に対する挿脱方向に対して略直角方向に向けて直線的に形成され、前記ロック部材は前記錠前ユニットの背後で前記ロック部材のガイド溝と前記ロータの突起との係合により作動連結されることが好ましい。
また、この場合、インジケータの構成は次のように具体化される。
（１）表示窓はハンドルレバーにおいて錠前ユニットに近接するグリップの一部に開口されるとともに前記グリップの背面で前記表示窓の周囲は前記グリップの延びる方向に断面略円弧状に形成され、連絡孔は操作軸の周壁部に透孔に前記操作軸の正面側で隣接して連通形成され、作動レバーは、ロック部材のロック孔側の端部から、前記連絡孔を通して、前記グリップの背面側で前記表示窓に対向する位置まで略クランク状に延びる第１のクランク部材と、前記第１のクランク部材の表示窓側の端部に軸を介して回動可能に連結され、中間部を前記グリップの背面に軸を介して回動可能に支持されて、前記第１のクランク部材と前記表示窓との間に配置される第２のクランク部材とからなり、表示部は、前記表示窓に対向する正面が前記グリップの背面で前記表示窓の周囲を摺動可能に断面略円弧状に形成され、前記第２のクランク部材の表示窓側の端部に設けられる。
（２）表示窓はハンドルレバーにおいて錠前ユニットに近接するグリップの一部に開口されるとともに前記グリップの背面で前記表示窓の周囲は略平坦状に形成され、連絡孔は操作軸の周壁部に透孔に前記操作軸の正面側に隣接して連通形成され、作動レバーはロック部材のロック孔側の端部から、前記連絡孔を通して、前記グリップの背面の前記表示窓まで略クランク状に延びるクランク部材からなり、表示部は、前記表示窓に対向する正面が前記グリップの背面で前記表示窓の周囲を摺動可能に略平坦状に形成され、前記作動レバーの表示窓側の端部に設けられる。
（３）表示窓は、ハンドルレバーにおいて操作軸のグリップとは反対側に当該グリップとは反対方向に向けて張り出し部が形成されて、前記張り出し部の錠前ユニットに近接する一部に開口されるとともに、前記張り出し部の背面で前記表示窓の周囲は略平坦状に形成され、連絡孔は、前記操作軸の周壁部に透孔とは反対側に前記透孔と対称的に別の透孔が形成されて、当該別の透孔に前記操作軸の正面側に隣接して連通形成され、作動レバーはロック部材のロック孔側の端部とは反対の端部から、前記連絡孔を通して、前記張り出し部の背面の前記表示窓まで略クランク状に延びるクランク部材からなり、表示部は前記表示窓に対向する正面が前記張り出し部の背面で前記表示窓の周囲を摺動可能に略平坦状に形成され、前記作動レバーの表示窓側の端部に設けられる。
【発明の効果】
【０００７】
本発明のＬ型ハンドルによれば、ハンドルレバーにハンドルレバーのロック状態又はロック解除状態を切り替え表示するインジケータを設け、錠前ユニットを鍵により所定のロック方向に回転操作することにより、ハンドルレバーをロック部材によりロックするとともに、インジケータにロック状態表示部材を表示してハンドルレバーのロック状態を案内し、錠前ユニットを鍵により所定のロック解除方向に回転操作することにより、ハンドルレバーのロック部材によるロックを解除するとともに、インジケータにロック解除状態表示部材を表示してハンドルレバーのロック解除状態を案内するようにしたので、このインジケータにより、ハンドルレバーのロック部材によるロック状態又はロック解除状態が目視により瞬時に分かり、錠前ユニットの鍵を掛けたつもりで鍵を掛け忘れていたり、鍵がかかっているのを知らないでハンドル操作をしたり、鍵が掛かっているにも関わらず鍵を用意していなかったりといったことを可及的になくす、又は少なくすることができるなど、扉の開閉に際して利便性の向上を図ることができる、という本発明独自の格別な効果を奏する。
【図面の簡単な説明】
【０００８】
【図１】本発明の第１の実施の形態におけるＬ型ハンドルの構成を示す図（（ａ）は正面図（ｂ）は側面図（ｃ）は鍵の側面図）
【図２】同ハンドルの内部構成を示す図（側面断面図）
【図３】同ハンドルのロック部材及びインジケータの動作を示す図（（ａ）はハンドルのロック状態を示す断面図（ｂ）はハンドルのロック解除状態を示す断面図）
【図４】本発明の第２の実施の形態におけるＬ型ハンドルの構成を示す図（（ａ）は側面図（ｂ）は側面断面図）
【図５】同ハンドルのロック部材及びインジケータの動作を示す図（（ａ）はハンドルのロックを解除した状態を示す断面図（ｂ）はハンドルをロックした状態を示す断面図）
【図６】本発明の第３の実施の形態におけるＬ型ハンドルの構成を示す図（（ａ）は側面図（ｂ）は側面断面図）
【図７】同ハンドルのロック部材及びインジケータの動作を示す図（（ａ）はハンドルのロックを解除した状態を示す側面断面図（ｂ）はハンドルをロックした状態を示す側面断面図）
【発明を実施するための形態】
【０００９】
次に、この発明を実施するための形態について図を用いて説明する。
図１乃至図３に第１の実施の形態を示している。
【００１０】
図１に示すように、Ｌ型ハンドルＨ１は、内部に軸孔１０を有し、扉の正面、背面間に貫通装着されるハンドル受座１と、ハンドル受座１の軸孔１０に回動可能に嵌挿され、扉の背面側となる先端部側に止め金を取り付けられる操作軸２１、及び操作軸２１の扉の正面側となる基端部側から扉の正面に沿って延びるグリップ２０からなるハンドルレバー２と、操作軸２１の正面となる基端面に開口されて操作軸２１の基端部側に形成される受孔２１０に、開口に鍵孔３０を表出して装着される錠前ユニット３、及び錠前ユニット３の背後に作動連結されて、受孔２１０の周壁部に形成される透孔２１２０（図２参照）を通してハンドル受座１の軸孔１０の内周面に形成されるロック孔１０４（図２参照）に挿脱可能に配置されるロック部材４（図２参照）とを備え、錠前ユニット３に鍵３１を挿入して所定のロック方向に回転操作することにより、錠前ユニット３に作動連結されたロック部材４がロック孔１０４に挿入されてハンドルレバー２をロックし、鍵３１を所定のロック解除方向に回転操作することにより、錠前ユニット３に作動連結されたロック部材４がロック孔１０４から離脱されてハンドルレバー２のロックを解除する形式を採っている。
そして、このＬ型ハンドルＨ１では、特に、ハンドルレバー２にインジケータ５を備え、ハンドルレバー２のロック状態又はロック解除状態を切り替え表示するようになっている。
【００１１】
ハンドル受座１は、図２に示すように、先端側の筒部１１と基端側のフランジ部１２とからなり、筒部１１、フランジ部１２の内部の軸心上に同心的に軸孔１０が形成される。この場合、筒部１１は略円筒状に形成され、外周面の後端側所定の範囲にねじ１１１が切られ、ハンドルレバー２の扉への取付時に、この外周面にナット１１０が螺合される。フランジ部１２は筒部１１の後端から外周方向に筒部１１の軸心に対して直角に張り出し、基端方向に向けて漸次縮径される正面視略小判形のテーパ状に形成される。このフランジ部１２の筒部側の面は扉に対する座面１２０になっていてその上下中央にそれぞれねじ孔を有する取付ボス１２１が突設される。軸孔１０は、筒部１１の内部を貫通形成されフランジ部１２内部の筒部側端部まで連続する小径部１０１と、フランジ部１２の内部に小径部１０１にＯリング１０６（図３参照）を嵌着される中径部１０２を介して連続する大径部１０３とからなり、大径部１０３の終端、すなわち、フランジ部１２の基端開口の縁部、この場合、下部中央の縁部に溝状にロック孔１０４が形成される。また、この場合、大径部１０３の上部周方向所定の範囲がハンドルレバー２の回動範囲を規制するためのガイド溝１０５になっている。
【００１２】
ハンドルレバー２は、図２に示すように、全体が略Ｌ字形に形成され、略水平方向に延びる操作軸２１と、操作軸２１の基端から略垂直方向に延びるグリップ２０とを有する。
操作軸２１は、ハンドル受座１のフランジ部１２内の中径部１０２から筒部１１内の小径部１０１に嵌挿されて先端部分が筒部１１の先端から突出される小径部２１１と、小径部２１１に連続し、フランジ部１２内の大径部１０３に嵌挿される中径部２１２と、中径部２１２に連続し、フランジ部１２の基端開口縁部に当接してフランジ部１２に連続的に配置される大径部２１３とからなる。小径部２１１の先端部分は止め金を取り付けるため、角軸部２１１ａになっていて、その先端面の中心にねじ孔２１１ｂが軸方向に形成される。中径部２１２の上部には回転制御ピン２１２ｐが突設されて、ハンドル受座１の大径部１０３のガイド溝１０５に係合され、この回転制御ピン２１２ｐにより、ハンドルレバー２の回動角度が後述する止め金と受け部との係脱に必要な所定の角度に規制される。大径部２１３は操作軸２１の正面となる基端面が開口されて大径部２１３内部及び中径部２１２内部の一部に受孔２１０が形成される。この受孔２１０は、大径部２１３の内部に貫通形成され、錠前ユニット３が収納可能な円形の孔２１０ａと、中径部２１２の大径部側の一部に大径部２１３の円形の孔２１０ａに連通してかつハンドル受座１のロック孔１０４に連通可能に中径部２１２の周壁部、この場合、ハンドル受座１のロック孔１０４の直上に当たる中径部２１２の上壁部、下壁部にそれぞれ透孔２１２０を設けて形成され、ロック部材４が挿通可能な角形の孔２１０ｂとからなる。なお、止め金は、特に図示していないが、扉が取り付けられる本体側の固定枠体に固定される受け部に係合可能な細長いプレートで、一端に角孔を有し、この角孔に操作軸２１先端の角軸部２１１ａが通され、さらに角軸部２１１ａにスペーサ２１４が通されて、先端のねじ孔２１１ｂから取付ねじ２１１ｓが締結されて固定され、ハンドル受座１上でハンドルレバー２を回動することにより、操作軸２１の先端で止め金が回動可能になっている。
グリップ２０は、操作軸２１の大径部２１３に連続し、大径部２１３直下の上部側から下部に向けて漸次幅狭に少しテーパが付けられ、背面は上下方向中間部から下部にかけて凹状に形成され、下端が背面側に向けて曲線状に曲げられて、手に掛かりやすい形状を有している。
また、このハンドルレバー２では、図１、図２に示すように、操作軸２１の基端開口から受孔２１０に収納される後述の錠前ユニット３が外部に露出しないように、操作軸２１の基端面全体を覆うスライドキャップ２２が併せて設けられる。この場合、操作軸２１の大径部２１３の上部に基端面に連続する角丸三角形状の正面部とその周縁部に背面方向に突出される周縁部とからなる張り出し部２１５が形成され、正面部の略中心に取付ボスを通すための通し孔２１６が穿たれる。また、大径部２１３の基端面下端部まで延びるグリップ２０の上縁部は円弧状に形成され、その中央に略三角形の係止突起２１７が突設される。スライドキャップ２２はこの大径部２１３の基端面の形状に上部の張り出し部２１５の正面形状を合わせた外形を有し、全体が下部の円弧状の縁部上に嵌合可能で、グリップ２０と一体的なデザインになっている。そして、背面には、上部に操作軸２１の張り出し部２１５の通し孔２１６に挿通可能なネジ穴を有する取付ボス２２１が突設され、下端中央に操作軸２１の係止突起２１７に係合可能な係止凹部２２２が形成される。スライドキャップ２２は、操作軸２１の大径部２１３基端面上に合せられ、取付ボス２２１が張り出し部２１５の通し孔２１６に通されて、張り出し部２１５の背面側で取付ボス２２１の周囲にコイルスプリング２２３が巻回され、このコイルスプリング２２３を介して取付ボス２２１に取付ねじ２２４が締結されて、大径部２１３の基端面上の位置から側方に向けて回動可能にかつ任意の回動位置でその姿勢を保持可能に（つまり、任意の回動角度で停止可能に）に取り付けられる。これにより、スライドキャップ２２は、通常、大径部２１３の基端面上に係止突起２１７と係止凹部２２２との係合及びコイルスプリング２２３の付勢力（引き寄せ）により保持されて、操作軸２１の基端面全体を隠蔽しハンドルレバー２正面全体の見栄えを向上させ、錠前ユニット３を施錠、解錠する際は、スライドキャップ２２が操作軸２１の基端面から側方にスライドされて、錠前ユニット３の鍵孔３０を外部に表出し、錠前ユニット３に鍵３１を挿入できるようにしている。
【００１３】
錠前ユニット３は、図２に示すように、一般に使用されるシリンダー錠が採用され、周知のとおり、正面の鍵孔３０に鍵３１を差し込むことにより解錠され（反対に、正面の鍵孔３０から鍵３１を抜き取ることにより施錠され）、鍵３１を回転操作することによりロータ３００が回転する形式である（以下、シリンダー錠３という。）。このシリンダー錠３は、後述のロック部材４に作動連結されるため、シリンダー錠３の背面のロータ３００にロータ３００の回転中心に対して偏芯した位置に突起３０１が突設される。このシリンダー錠３は、操作軸２１の基端面の開口、すなわち、大径部２１３の基端面の開口から受孔２１０の円形の孔２１０ａ内に収納されて、正面の鍵孔３０が大径部２１３の開口面に表出され、背面の突起３０１が中径部２１２の角形の孔２１０ｂ内に突出される。
【００１４】
ロック部材４は、図２に示すように、操作軸２１の中径部２１２の角形の孔２１０ｂに嵌合可能に角形の柱状に形成され、シリンダー錠３の背面に対向する正面にロータ３００の突起３０１が係合可能なガイド溝４１がロック部材４のロック孔１０４に対する挿脱方向に対して略直角方向に向けて、この場合、水平方向（横方向）に向けて直線的に形成される。このロック部材４は、シリンダー錠３が操作軸２１の受孔２１０内に基端の開口から組み込まれると同時に、シリンダー錠３の背後の中径部２１２の角形の孔２１０ｂに通されて、ロータ３００の突起３０１がロック部材４のガイド溝４１に係合されて、シリンダー錠３とロック部材４が、ロータ３００の回転運動（カム運動）に応動してロック部材４が上下動、すなわち、ロック孔１０４に対して挿脱可能に作動連結される。
【００１５】
インジケータ５は、図２に示すように、ハンドルレバー２においてシリンダー錠３の周囲所定の位置に開口される表示窓５０と、ロック部材４から受孔２１０の周壁部に形成される連絡孔２１２１を通して表示窓５０に向けて延び、ロック部材４がロック孔１０４に挿入又は離脱されるときのロック部材４の挿入又は離脱方向の動作に連動して駆動される作動レバー５１、及び作動レバー５１の先端に形成されて作動レバー５１の駆動により表示窓５０に沿って移動可能に配置され、ロック部材４がロック孔１０４に挿入されたときに表示窓５０に移動して対向される位置にハンドルレバー２のロック状態を表示するためのロック状態表示部材５２１を有し、ロック部材４がロック孔１０４から離脱されたときに表示窓５０に移動して対向される位置にハンドルレバー２のロック解除状態を表示するためのロック解除状態表示部材５２２を有する表示部５２とを具備する。
【００１６】
この場合、表示窓５０はハンドルレバー２において錠前ユニット３に近接するグリップ２０の一部に開口されるとともにその背面は凹状に形成されて表示窓５０の周囲がグリップ２０の延びる方向に断面略円弧状に形成される。連絡孔２１２１は操作軸２１の周壁部に透孔２１２０に操作軸２１の正面側で隣接して連通形成される。作動レバー５１は、ロック部材４のロック孔側の端部から、連絡孔２１２１を通して、グリップ２０の背面側で表示窓５０に少し離れて対向される位置まで略クランク状に延びる第１のクランク部材５１１と、この第１のクランク部材５１１の表示窓側の端部に軸Ｐ１を介して回動可能に連結され、中間部をグリップ２０の背面両側部に軸Ｐ２を介して回動可能に支持されて、第１のクランク部材５１１と表示窓５０との間に延びる第２のクランク部材５１２とからなる。表示部５２は、表示窓５０により大きい略矩形状のプレートで、表示窓５０に対向する正面がグリップ２０の背面で表示窓５０の周囲を摺動可能に断面略円弧状に形成されて、第２のクランク部材５１２の表示窓側の端部に設けられ、その正面の下半部にロック状態表示部材５２１として赤色のシールが貼着され、上半部にロック解除状態表示部材５２２として青色のシールが貼着される。
ハンドルレバー２の背面でインジケータ５の各部は、グリップ２０の背面の上部両側部間にカバー５３が取付ねじにより取り付けられてこのカバー５３により被覆される。
【００１７】
Ｌ型ハンドルＨ１はかかる構成を備え、図３に示すように、扉パネルＤに、ナット１１０及び取付ねじ（図示省略）により取り付けられる。この場合、扉パネルＤに、ハンドル受座１の筒部１１を挿通するための取付孔Ｄ０とその上下にハンドル受座１の各取付ボス１２１を通すための２つの孔ｄ０が穿たれる。ハンドル受座１は座面１２０にパッキン１０７が配置されて筒部１１が取付孔Ｄ０に挿通され、ハンドル受座１の座面１２０がパッキン１０７を介して扉Ｄの正面に当接されるとともに各取付ボス１２１を各孔ｄ０に通されて、扉Ｄの背面側で、筒部１１の外周面にナット１１０が締め込まれるとともに、各取付ボス１２１に取付ねじが締め付けられて、扉Ｄの正面、背面間に貫通装着される。そして、このハンドル受座１の軸孔１０に扉Ｄの正面側からハンドルレバー２の操作軸２１が通され、操作軸２１の先端に止め金が既述のとおり固定される。
このようにしてＬ型ハンドルＨ１は、扉Ｄに取り付けられ、錠前ユニット３に鍵３１を挿入して所定のロック方向に回転操作することにより、錠前ユニット３に作動連結されたロック部材４がロック孔１０４に挿入されてハンドルレバー２をロックするとともに、インジケータ５にロック状態表示部材５２１を表示してハンドルレバー２のロック状態を案内し、鍵３１を所定のロック解除方向に回転操作することにより、錠前ユニット３に作動連結されたロック部材４がロック孔１０４から離脱されてハンドルレバー２のロックを解除するとともに、インジケータ５にロック解除状態表示部材５２２を表示してハンドルレバー２のロック解除状態を案内するようになっている。
【００１８】
図３にこのＬ型ハンドルの使用例を併せて例示している。
図３（ａ）は扉Ｄが固定枠体に対して閉じられ、さらにロックが掛けられている状態を示している。
この状態では、ハンドルレバー２のグリップ２０が下方に向けられ、扉Ｄの背面側で止め金が固定枠体の受け部に係合されて、扉Ｄは閉状態に保持される。そして、ハンドルレバー２及びハンドル受座１間では、錠前ユニット３に作動連結されたロック部材４がロック孔１０４に挿入されて、ハンドルレバー２が回動不能のロック状態になっている。このとき、作動レバー５１は第１のクランク部材５１１がロック部材４のロック孔１０４に対する挿入方向、つまり、下方向に移動されるとともに、この第１のクランク部材５１１により第２のクランク部材５１２の連結側の端部が下方に押されて、その結果、表示窓側の端部が上方に回動され、表示部５２の下半部のロック状態表示部材５２１が表示窓５０に対向されて、ハンドルレバー２のインジケータ５は赤色のシールで表すハンドルのロック状態を案内する。したがって、ハンドルレバー２がロックされていることそれ自体はこのハンドルレバー２の外から見えないが、インジケータ５の目視によりハンドルレバー２のロック状態が瞬時に分かる。このため、錠前ユニット３に鍵の掛け忘れを防止することができ、また、鍵がかかっているのを知らないでハンドルレバー２を操作することがなく、扉Ｄを開けるには鍵が必要であることが即時認知することができる。
図３（ｂ）は扉Ｄのロックを解除し、扉Ｄを固定枠体に対して開ける状態を示している。
扉Ｄのロックを解除するには、まず、ハンドルレバー２のスライドキャップ２２を側方にスライドさせて、シリンダー錠３の鍵孔３０をハンドルレバー２の正面に露出させる。シリンダー錠３の鍵孔３０に鍵３１を挿入することにより、シリンダー錠３の施錠を解錠した後、鍵３１を所定のロック解除方向に回す。これにより、ロータ３００が所定のロック解除方向に回動し、このロータ３００の偏心位置の突起３０１に係合されたロック部材４がロータ３００の回動に応動しロック孔１０４に対して離脱方向、この場合、上方向に移動し、このロック部材４の移動に応動して作動レバー５１の第１のクランク部材５１１がロック部材４がロック孔１０４に対して離脱する方向、すなわち、上方に向けて移動されるとともに、この第１のクランク部材５１１により第２のクランク部材５１２の連結側の端部が上方に引張られて、その結果、表示窓側の端部が下方に回動され、表示部５２の上半部のロック解除状態表示部材５２２が表示窓５０に対向されて、ハンドルレバー２のインジケータ５は青色のシールで表すハンドルのロック解除状態を案内する。したがって、ハンドルレバー２のロックが解除されたことそれ自体はこのハンドルレバー２の外から見えないが、インジケータ５の目視によりハンドルレバー２のロック解除状態が瞬時に分かる。そして、ハンドルレバー２のグリップ２０を回動させれば、扉Ｄの背面側で止め金が固定枠体の受け部から外れて、扉Ｄを開くことができる。
そして、再び扉Ｄを閉め、ロックを掛ける場合は、これとは反対に、シリンダー錠３の鍵孔３０に鍵３１を挿入することにより、シリンダー錠３の施錠を解錠した後、鍵３１を所定のロック方向に回す。これにより、ロータ３００が所定のロック方向に回動し、この回動に応動してロック部材４がロック孔１０４に対して挿入方向、すなわち、下方に向けて移動され、このロック部材４の移動に応動して作動レバー５１の第１のクランク部材５１１がロック部材４がロック孔１０４に対して挿入する方向、すなわち、下方に向けて移動されるとともに、この第１のクランク部材５１１により第２のクランク部材５１２の連結側の端部が下方に押されて、その結果、表示窓側の端部が上方に回動され、表示部５２の下半部のロック状態表示部材５２１が表示窓５０に対向されて、ハンドルレバー２のインジケータ５は赤色のシールで表すハンドルレバー２のロック状態を案内する。そして、シリンダー錠３から鍵３１を抜けば、シリンダー錠３は施錠される。したがって、ハンドルレバー２がロックされていることそれ自体はこのハンドルレバー２の外から見えないが、インジケータ５の目視によりハンドルレバー２のロック状態が瞬時に分かる。このため、錠前ユニット３に鍵の掛け忘れを防止することができ、また、鍵がかかっているのを知らないでハンドルレバーを操作することがなく、扉を開けるには鍵が必要であることが即時認知することができる。
【００１９】
以上説明したように、このＬ型ハンドルＨ１によれば、ハンドルレバー２にハンドルレバー２のロック状態又はロック解除状態を切り替え表示するインジケータ５を設け、シリンダー錠３を鍵３１により所定のロック方向に回転操作することにより、ハンドルレバー２をロック部材４によりロックするとともに、インジケータ５にロック状態表示部材５２１を表示してハンドルレバー２のロック状態を案内し、シリンダー錠３を鍵３１により所定のロック解除方向に回転操作することにより、ハンドルレバー２のロック部材４によるロックを解除するとともに、インジケータ５にロック解除状態表示部材５２２を表示してハンドルレバー２のロック解除状態を案内するようにしたので、このインジケータ５により、ハンドルレバー２のロック部材４によるロック状態又はロック解除状態が目視により瞬時に分かり、シリンダー錠３に鍵を掛けたつもりで鍵を掛け忘れていたり、鍵がかかっているのを知らないでハンドル操作をしたり、鍵が掛かっているにも関わらず鍵を用意していなかったりといったことを可及的になくし、又は少なくすることができるなど、扉Ｄの開閉に際して利便性の向上を図ることができる。
特に、このインジケータ５では、ハンドルレバー２においてシリンダー錠３の周囲所定の位置に開口される表示窓５０と、ロック部材４から受孔２１０の周壁部に形成される連絡孔２１２１を通して表示窓５０に向けて延び、ロック部材４がロック孔１０４に挿入又は離脱されるときのロック部材４の挿入又は離脱方向の動作に連動して駆動される作動レバー５１、及び作動レバー５１の先端に形成されて作動レバー５の駆動により表示窓５０に沿って移動可能に配置され、ロック部材４がロック孔１０４に挿入されたときに表示窓５０に移動して対向される位置にロック状態表示部材５２１を有し、ロック部材４がロック孔１０４から離脱されたときに表示窓５０に移動して対向される位置にロック解除状態表示部材５２２を有する表示部５２とを具備し、シリンダー錠３を鍵３１により所定のロック方向に回転操作することにより、ハンドルレバー２をロック部材４によりロックするとともに、インジケータ５にロック状態表示部材５２１を表示してハンドルレバー２のロック状態を案内し、シリンダー錠３を鍵３１により所定のロック解除方向に回転操作することにより、ハンドルレバー２のロック部材４によるロックを解除するとともに、インジケータ５にロック解除状態表示部材５２２を表示してハンドルレバー２のロック解除状態を案内するようにしたので、インジケータ５をシリンダー錠３に作動連結されたロック部材４及びその動きを利用した簡単な構造で構成することができ、信頼性の高いインジケータ５を低コストに提供することができる。
さらに、このインジケータ５では、表示窓５０はハンドルレバー２においてシリンダー錠３に近接するグリップ２０の一部に開口されるとともにグリップ２０の背面で表示窓５０の周囲がグリップ２０の延びる方向に断面略円弧状に形成され、連絡孔２１２１は操作軸２１の周壁部に透孔２１２０に操作軸２１の正面側で隣接して連通形成され、作動レバー５１は、ロック部材４のロック孔側の端部から、連絡孔２１２１を通して、グリップ２０の背面側で表示窓５０に対向する位置まで略クランク状に延びる第１のクランク部材５１１と、第１のクランク部材の表示窓側の端部に軸Ｐ１を介して回動可能に連結され、中間部をグリップ２０の背面に軸Ｐ２を介して回動可能に支持されて、第１のクランク部材５１１と表示窓５０との間に配置される第２のクランク部材５１２とからなり、表示部５２は、表示窓５０に対向する正面がグリップ２０の背面で表示窓５０の周囲を摺動可能に断面略円弧状に形成されて、第２のクランク部材５１２の表示窓側の端部に設けられるので、ロック部材４の小さいストローク（移動量）でも、作動レバー５１により表示部５２の移動量を増幅することができ、その分だけ表示窓５０を表示部５２とともに大きくして、ロック状態、ロック解除状態の視認性を高めることができる。
【００２０】
図２に第２の実施の形態を示している。この実施の形態では、インジケータの構成が第１の実施の形態と異なるだけなので、インジケータについてのみ新たな符号を付して説明を加え、第１の実施の形態と共通の構成は第１の実施の形態と同じ符号を付してその重複する説明を省略する。
このインジケータ６では、表示窓６０はハンドルレバー２においてシリンダー錠３に近接するグリップ２０の一部に開口されるとともにグリップ２０の背面で表示窓６０の周囲は略平坦状に形成される。連絡孔２１２１は操作軸２１の周壁部に透孔２０２０に操作軸２１の正面側に隣接して連通形成される。作動レバー６１はロック部材４のロック孔側の端部から、連絡孔２１２１を通して、グリップ２０の背面の表示窓６０まで略クランク状に延びるクランク部材からなる。表示部６２は、表示窓６０に対向する正面がグリップ２０の背面で表示窓６０の周囲を摺動可能に略平坦状に形成され、作動レバー６１の表示窓６０側の端部に設けられ、その正面の上半部にロック状態表示部材６２１として赤色のシールが貼着され、下半部にロック解除状態表示部材６２２として青色のシールが貼着される。
なお、ハンドルレバー２の背面でインジケータ６の各部は、グリップ２０の背面の上部両側部間にカバー６３が取付ねじにより取り付けられてこのカバー６３により被覆される。
このようにして、扉のロックを解除する場合は、図５（ａ）に示すように、まず、ハンドルレバー２のスライドキャップ２２を側方にスライドさせて、シリンダー錠３の鍵孔３０をハンドルレバー２の正面に露出させた後、シリンダー錠３の鍵孔３０に鍵３１を挿入することにより、シリンダー錠３の施錠を解錠し、鍵３１を所定のロック解除方向に回す。これにより、ロータ３００が所定のロック解除方向に回動し、この回動に応動してロック部材４がロック孔１０４に対して離脱方向、すなわち、上方に向けて移動され、このロック部材４の移動に応動して作動レバー６１がロック部材４がロック孔１０４に対して離脱する方向、すなわち、上方に向けて移動され、この作動レバー６１の移動により表示窓側の端部が上方に移動されて、表示部６２の下半部のロック解除状態表示部材６２２が表示窓６０に対向されて、ハンドルレバー２のインジケータ６は青色のシールで表すハンドルのロック解除状態を案内する。
また、扉をロックする場合は、図５（ｂ）に示すように、シリンダー錠３の鍵孔３０に鍵３１を挿入することにより、シリンダー錠３の施錠を解錠した後、鍵３１を所定のロック方向に回す。これにより、ロータ３００が所定のロック方向に回動し、この回動に応動してロック部材４がロック孔１０４に対して挿入方向、すなわち、下方に向けて移動され、このロック部材４の移動に応動して作動レバー６１がロック部材４がロック孔１０４に対して挿入する方向、すなわち、下方に向けて移動されるとともに、この作動レバー６１の移動により表示部６２の上半部のロック状態表示部材６２１が表示窓６０に対向されて、ハンドルレバー２のインジケータ６は赤色のシールで表すハンドルのロック状態を案内する。
このようにしても第１の実施の形態と略同様の動作で、概ね同様の作用効果を得ることができる。
【００２１】
図３に第３の実施の形態を示している。この実施の形態では、インジケータの構成が第１の実施の形態と異なるだけなので、インジケータについてのみ新たな符号を付して説明を加え、第１の実施の形態と共通の構成は第１の実施の形態と同じ符号を付してその重複する説明を省略する。
このインジケータ７では、表示窓７０は、ハンドルレバー２において操作軸２１のグリップ２０とは反対側で張り出し部２１５の上部及び背面側にグリップ２０とは反対方向に向けてさらに張り出し部２１８が形成されて、この張り出し部２１８のシリンダー錠３に近接する一部、この場合、張り出し部２１５の直上に開口されるとともに、この張り出し部２１８の表示窓７０の背面側周囲は略平坦状に形成される。連絡孔２１２３は、操作軸２１の周壁部に透孔２１２０とは反対側に透孔２１２０と対称的に別の透孔２１２２が形成されて、当該別の透孔２１２２に操作軸２１の正面側に隣接して連通形成される。作動レバー７１はロック部材４のロック孔側の端部とは反対側の端部から、連絡孔２１２３を通して、張り出し部２１８の表示窓７０の背面側まで略クランク状に延びるクランク部材からなる。表示部７２は表示窓７０に対向する正面が張り出し部２１８の表示窓７０の背面側周囲を摺動可能に略平坦状に形成され、作動レバー７１の表示窓側の端部に設けられ、その正面の上半部にロック状態表示部材７２１として赤色のシールが貼着され、下半部にロック解除状態表示部材７２２として青色のシールが貼着される。
このようにして、扉のロックを解除する場合は、図７（ａ）に示すように、まず、ハンドルレバー２のスライドキャップ２２を側方にスライドさせて、シリンダー錠３の鍵孔３０をハンドルレバー２の正面に露出させた後、シリンダー錠３の鍵孔３０に鍵３１を挿入することにより、シリンダー錠３の施錠を解錠し、鍵３１を所定のロック解除方向に回す。これにより、ロータ３００が所定のロック解除方向に回動し、この回動に応動してロック部材４がロック孔１０４に対して離脱方向、すなわち、上方に向けて移動され、このロック部材４の移動に応動して作動レバー７１がロック部材４がロック孔１０４に対して離脱する方向、すなわち、上方に向けて移動され、この作動レバー７１の移動により表示窓側の端部が上方に移動されて、表示部７２の下半部のロック解除状態表示部材７２２が表示窓７０に対向されて、ハンドルレバー２のインジケータ７は青色のシールで表すハンドルレバー２のロック解除状態を案内する。
また、扉をロックする場合は、図７（ｂ）に示すように、シリンダー錠３の鍵孔３０に鍵３１を挿入することにより、シリンダー錠３の施錠を解錠した後、鍵３１を所定のロック方向に回す。これにより、ロータ３００が所定のロック方向に回動し、この回動に応動してロック部材４がロック孔１０４に対して挿入方向、すなわち、下方に向けて移動され、このロック部材４の移動に応動して作動レバー７１がロック部材４がロック孔１０４に対して挿入する方向、すなわち、下方に向けて移動されるとともに、この作動レバー７１の移動により表示部７２の上半部のロック状態表示部材７２１が表示窓７０に対向されて、ハンドルレバー２のインジケータ７は赤色のシールで表すハンドルのロック状態を案内する。
このようにしても第１の実施の形態と略同様の動作で、概ね同様の作用効果を得ることができる。
【００２２】
なお、第２、第３の実施の形態の場合、第１の実施の形態に比べて作動レバーのストロークが若干小さくなるため、表示窓が多少小さくなって視認性の点で劣後するが、ハンドルのロック、ロック解除状態を確認するだけなので、実用上、大きな問題とはならない。
【００２３】
また、上記各実施の形態では、ロック部材が錠前ユニットのロータに直接作動連結される場合を例示したが、ロック部材は錠前ユニットにジョイント部材を介して作動連結されてもよい。この場合、ジョイント部材は錠前ユニットに錠前ユニットのロータの中心に設けられる突起を介して回動可能に連結され、ジョイント部材は背面に回転中心に対して偏芯した位置に突起を突設され、ロック部材はジョイント部材の背面に対向する正面にジョイント部材の突起が係合可能にガイド溝がロック部材のロック孔に対する挿脱方向に対して略直角方向に向けて直線的に形成され、ロック部材は錠前ユニットの背後でロック部材のガイド溝とジョイント部材の突起との係合により作動連結されることになる。
このようにしても上記各実施の形態と同様の作用効果を奏することができる。
【符号の説明】
【００２４】
Ｈ１  Ｌ型ハンドル
１  ハンドル受座
１０  軸孔
１０１  小径部
１０２  中径部
１０３  大径部
１０４  ロック孔
１０５  ガイド溝
１１  筒部
１１０  ナット
１１１  ねじ
１２  フランジ部
１０６  Ｏリング
１０７  パッキン
１２０  座面
１２１  取付ボス
２  ハンドルレバー
２０  グリップ
２１  操作軸
２１０  受孔
２１０ａ  円形の孔
２１０ｂ  角形の孔
２１１  小径部
２１１ａ  角軸部
２１１ｂ  ねじ孔
２１１ｓ  取付ねじ
２１４  スペーサ
２１２  中径部
２１２０  透孔
２１２１  連絡孔
２１２２  透孔
２１２３  連絡孔
２１２ｐ  回転制御ピン
２１３  大径部
２１５  張り出し部
２１６  通し孔
２１７  係止突起
２１８  張り出し部
２２  スライドキャップ
２２１  取付ボス
２２２  係止凹部
２２３  コイルスプリング
２２４  取付ねじ
３  錠前ユニット（シリンダー錠）
３０  鍵孔
３００  ロータ
３０１  突起
３１  鍵
４  ロック部材
４１  ガイド溝
５  インジケータ
５０  表示窓
５１  作動レバー
５１１  第１のクランク部材
５１２  第２のクランク部材
Ｐ１  軸
Ｐ２  軸
５２  表示部
５２１  ロック状態表示部材（赤色のシール）
５２２  ロック解除状態表示部材（青色のシール）
５３  カバー
６  インジケータ
６０  表示窓
６１  作動レバー
６２  表示部
６２１  ロック状態表示部材（赤色のシール）
６２２  ロック解除状態表示部材（青色のシール）
６３  カバー
７  インジケータ
７０  表示窓
７１  作動レバー
７２  表示部
７２１  ロック状態表示部材（赤色のシール）
７２２  ロック解除状態表示部材（青色のシール）
Ｄ  扉
Ｄ０  取付孔
ｄ０  孔
【図１】
0006621655.tif 000002
【図２】
0006621655.tif 000003
【図３】
0006621655.tif 000004
【図４】
0006621655.tif 000005
【図５】
0006621655.tif 000006
【図６】
0006621655.tif 000007
【図７】
0006621655.tif 000008